(57)【要約】【課題】複数の放射パネルを簡単な構成で個別に制御可能な放射式空調システムを提供することを目的とする。【解決手段】放射式空調システム１は、放射パネルを用いて、放射により室内を冷暖房するものである。放射式空調システム１は、複数の放射パネルＰ１〜Ｐ５を室内に備え、さらに、複数の放射パネルＰ１〜Ｐ５に共通の冷媒を供給する冷媒供給装置１３を備える。放射パネルＰ１は、他の放射パネルＰ２〜Ｐ５とは独立して当該放射パネルＰ１の放射を制御する制御部１０ｆを有し、他の放射パネルＰ２〜Ｐ５も同様な制御部を有する。【選択図】図１
2017215103.tif 000002
【特許請求の範囲】
【請求項１】
放射パネルを用いて、放射により室内を冷暖房する放射式空調システムであって、
前記放射パネルを前記室内に複数備え、
さらに、前記複数の放射パネルに共通の冷媒を供給する冷媒供給装置を備え、
前記複数の放射パネルはそれぞれ、他の放射パネルとは独立して当該放射パネルの放射を制御する制御部を有することを特徴とする、放射式空調システム。
【請求項２】
前記冷媒供給装置は、
前記複数の前記放射パネルそれぞれに設定された目標温度の情報を取得し、該目標温度の情報に基づいて、前記複数の前記放射パネルに供給する前記共通の冷媒の状態を決定する他の制御部を有し、
前記複数の放射パネルそれぞれの前記制御部は、当該放射パネル自体に設定された目標温度と現在の温度に基づいて、当該放射パネル自体の放射面への冷媒の供給の実行／停止を制御することを特徴とする、請求項１に記載の放射式空調システム。
【請求項３】
前記冷媒供給装置の前記他の制御部は、冷房時は、前記目標温度のうち最も低い目標温度に対応する冷媒の状態を、暖房時は、前記目標温度のうち最も高い目標温度に対応する冷媒の状態を、前記共通の冷媒の状態に決定することを特徴とする、請求項２に記載の放射式空調システム。
【請求項４】
前記放射パネルは、前記室の室内空間を形成する複数の壁面それぞれに設けられていることを特徴とする、請求項１〜３のいずれか１項に記載の放射式空調システム。
【請求項５】
前記複数の壁面は、側壁面の他に、天井面及び／または床面を含むことを特徴とする、請求項４に記載の放射式空調システム。
【発明の詳細な説明】
【技術分野】
【０００１】
本発明は、放射パネルを用いて放射により室内を冷暖房する放射式空調システムに関する。
【背景技術】
【０００２】
室を空調対象とする空調システムとしては、対流式のものが一般に普及しているが、無風空間が求められる環境や大きな対流が好まれない環境では、放射式空調システムが用いられている。大きな対流が好まれない環境としては手術室等が挙げられる。放射式空調システムでは、室内に設けた放射パネルを用いている。そして、冷房時には放射パネルの放射面を冷却し、暖房時には放射パネルの放射面を加熱するようにしている。
特許文献１に開示の放射式空調システムでは、放射パネルの放射面の冷却／加熱に冷媒を用いている。また、特許文献１の放射式空調システムでは、１つの放射パネルに対し、１組の室外側熱交換器及び圧縮機が必要である。
【先行技術文献】
【特許文献】
【０００３】
【特許文献１】特許第５８６９９５５号
【発明の概要】
【発明が解決しようとする課題】
【０００４】
ところで、前記した手術室では、術者や看護師等、非施術者（患者）は作業内容、着衣量、環境表面温度の違いにより体感温度の違いが生じる。特に患者の体温低下は、医療効果の妨げとなるため十分な体温管理が求められる。そのため、患者に対し直接冷温風を吹き下ろす対流式空調システムに対し、体感温度に直接影響し過剰に冷風を吹出すことのない放射空調システムが望ましい。
一方、複数の発熱する医療機器が点在する手術室において、術者や看護師等、非施術者（患者）の各々の環境表面温度が違うことも事実あり、各々の体感温度に合わせた制御ができるとよい。
【０００５】
これらの要望に応えるために、複数の放射パネルを用い、これら放射パネルを個別に制御する場合、特許文献１に開示の技術では、１つの放射パネルに対し、一組の室外側熱交換器及び圧縮機すなわち１つの冷媒供給装置が必要であるから、複数の放射パネルに合わせて冷媒供給装置も複数となる。したがって、構成が大掛かりなものとなり、施工に時間がかかり、構造も複雑になるため高コストとなる。
【０００６】
本発明は、上記事情に鑑みてなされたものであり、複数の放射パネルを簡単な構成で個別に制御可能な放射式空調システムを提供することを目的とする。
【課題を解決するための手段】
【０００７】
上記課題を解決する本発明は、放射パネルを用いて、放射により室内を冷暖房する放射式空調システムであって、前記放射パネルを複数備え、さらに、前記複数の前記放射パネルに共通の冷媒を供給する冷媒供給装置を備え、前記放射パネルは、他の前記放射パネルとは独立して当該放射パネルの放射を制御する制御部を有することを特徴としている。
【０００８】
本発明によれば、複数の放射パネルを用い、また、これらをそれぞれ独立して制御可能であるため、迅速に所望の室内温度分布を得ることができる。また、冷媒供給装置は複数の放射パネルで共通しているため、構成が簡単であり低コストである。
【０００９】
前記冷媒供給装置は、前記複数の前記放射パネルそれぞれに設定された目標温度の情報を取得し、該目標温度の情報に基づいて、前記複数の前記放射パネルに供給する前記共通の冷媒の温度を決定し、前記複数の前記放射パネルそれぞれの前記制御部は、当該放射パネル自体に設定された目標温度と現在の温度に基づいて、当該放射パネル自体の放射面への冷媒の供給の実行／停止を制御するとよい。
【００１０】
前記冷媒供給装置の前記他の制御部は、冷房時は、前記目標温度のうち最も低い目標温度に対応する冷媒の状態を、暖房時は、前記目標温度のうち最も高い目標温度に対応する冷媒の状態を、前記共通の冷媒の状態に決定することが好ましい。
【００１１】
前記放射パネルは、室内空間を形成する複数の壁面それぞれに対し設けることが好ましい。
【００１２】
前記複数の壁面は、側壁面の他に天井面及び／または床面を含んでもよい。
【発明の効果】
【００１３】
本発明によれば、複数ある放射パネルを従来より簡単な構成で個別に制御することができる。
【図面の簡単な説明】
【００１４】
【図１】本発明の実施形態に係る放射式空調システムの一例が適用された手術室を示す概略図である。
【図２】本発明の実施形態に係る放射式空調システムの構成を示す概略図である。
【図３】図２の放射パネルと冷媒供給装置の構成例を説明する概略構成図である。
【発明を実施するための形態】
【００１５】
以下、本発明の一実施形態について、図面を参照しながら説明する。なお、本明細書及び図面において、実質的に同一の機能構成を有する要素においては、同一の符号を付することにより重複説明を省略する場合がある。
【００１６】
本発明の放射式空調システムは、手術室に好適に用いられる。ただし、本発明の放射式空調システムは、手術室以外にも用いることができ、例えば、病室や透析室に用いることができ、薬剤を調合する工場内のクリーンルームや塗装ブースにも用いることができる。以下では、本発明の放射式空調システムについて手術室に適用した例で説明する。
【００１７】
図１は、本発明に係る放射式空調システムの一例が適用された手術室を示す概略図である。図２は、本発明に係る放射式空調システムの構成を示す概略図である。
図１の手術室Ｒは、施術者Ｈが施術を行うための施術台Ｒ１が配設された部屋である。図示は省略するが手術室Ｒには無影灯や麻酔器、各種モニター等が配設されている。
【００１８】
この手術室Ｒは、４つの側壁面Ｒ２〜Ｒ５と、天井面Ｒ６と床面Ｒ７とを有する。側壁面Ｒ２〜Ｒ５、天井面Ｒ６及び床面Ｒ７により手術室Ｒの室内空間が形成されている。
手術室Ｒでは、側壁面Ｒ２〜Ｒ５と天井面Ｒ６の５つの壁面について、各壁面に対し１台ずつ放射パネルＰ１〜Ｐ５が配設されている。なお、手前側の側壁面に対する放射パネルＰ４の図示は省略している。
【００１９】
この手術室Ｒの空調は、複数の放射パネルＰ１〜Ｐ５を備える放射式空調システム１により行われる。放射パネルＰ１〜Ｐ５は、側壁面Ｒ２〜Ｒ５と天井面Ｒ６の５つの壁面について、各壁面に対し１台ずつ配設されている。図示を省略した放射パネルＰ４は図の手前側の側壁面Ｒ５に対して設けられている。放射パネルＰ１はその手術室Ｒの内部側の面に放射面１０ａを有し、該放射面１０ａは冷媒により冷却・加熱される。冷媒は例えばフロン系のものであり、放射面１０ａは例えば琺瑯板により構成される。なお、符号等は省略するが、放射パネルＰ２〜Ｐ５も同様に放射面１０ａを有する。
【００２０】
放射パネルＰ１〜Ｐ５に供給される熱源としての冷媒は、冷媒配管１１、１２を介して冷媒供給装置１３から供給される。冷媒供給装置１３は、放射パネルＰ１〜Ｐ５それぞれに対して１台ずつ設けられているのではなく、放射パネルＰ１〜Ｐ５で共有している。冷媒供給装置１３は、冷温水配管１４内の冷水または温水（以下、「冷温水」という）と冷媒との間で熱交換を行う熱交換器等を有する（後述の図３の符号１３ｃ参照）。冷温水配管１４は図示しないポンプにより冷温水が通水されるものである。
【００２１】
冷房時には、低温の冷媒が一方の冷媒配管１１を通じて冷媒供給装置１３から各放射パネルＰ１〜Ｐ５に供給され、また、吸熱した冷媒が他方の冷媒配管１２を通じて各放射パネルＰ１〜Ｐ５から冷媒供給装置１３に戻される。
一方、暖房時には、高温の冷媒が上記他方の冷媒配管１２を通じて冷媒供給装置１３から各放射パネルＰ１〜Ｐ５に供給され、また、放熱後の冷媒が上記一方の冷媒配管１１を通じて各放射パネルＰ１〜Ｐ５から冷媒供給装置１３に戻される。
【００２２】
図１では、冷媒供給装置１３から各放射パネルＰ１〜Ｐ５へ別々の冷媒が供給されるように描かれている。しかし、図２に示すように、冷媒供給装置１３と各放射パネルＰ１〜Ｐ５とを接続する冷媒配管１１は、冷媒供給装置１３側の端部において複数の放射パネルＰ１〜Ｐ５に共有されている。もう一方の冷媒配管１２についても同様である。したがって、冷媒供給装置１３から各放射パネルＰ１〜Ｐ５へ供給される冷媒は共通であり、冷媒の状態（温度等）は放射パネルＰ１〜Ｐ５によらず同じである。以下では、冷媒配管１１、１２のうち放射パネルＰ１〜Ｐ５で共通する部分を共通配管１１ａ、１２ａという。
【００２３】
放射パネルＰ１は、この共通の冷媒を利用し、他の放射パネルＰ２〜Ｐ５とは独立して、当該放射パネルＰ１の周囲の温度を調整する。他の放射パネルＰ２〜Ｐ５についても同様である。
【００２４】
放射パネルＰ１〜Ｐ５は同一の構成を有するので、以下では放射パネルＰとしてまとめて説明する。
【００２５】
図３は、放射パネルＰと冷媒供給装置１３の構成例を説明する概略構成図である。
なお、放射パネルＰと冷媒供給装置１３を備える放射式空調システム１では、放射パネルＰ毎に目標温度が設定可能となっている。目標温度は、例えば目標の（放射パネルＰの）パネル表面温度であり、また、目標室温であってもよい。
【００２６】
放射パネルＰは、放射面１０ａと、放射用冷媒配管１０ｂと、パネル側制御装置１０ｃと、を有する。
【００２７】
放射面１０ａは、該放射面１０ａからの熱放射により室内を冷暖房するためのものである。
放射用冷媒配管１０ｂは、放射面１０ａを冷却／加熱するよう該放射面１０ａに対して設けられたものである。
パネル側制御装置１０ｃは、他の放射パネルとは独立して当該放射パネルＰの放射を制御するためのものであり、冷媒配管１１、１２から放射面１０ａへの冷媒の供給すなわち冷媒配管１１、１２から放射用冷媒配管１０ｂへの冷媒の供給の制御を行う。冷媒の供給の制御とは、例えば冷媒の供給の実行／停止の制御や、冷媒の供給量の制御である。
【００２８】
パネル側制御装置１０ｃは、電磁弁１０ｄ、電子膨張弁１０ｅ、制御部１０ｆを有する。
電磁弁１０ｄは、冷媒配管１１／１２と放射用冷媒配管１０ｂとの間の冷媒の供給を遮断するためのものであり、電子膨張弁１０ｅは、放射用冷媒配管１０ｂへの冷媒の供給量等を制御するためのものである。
【００２９】
制御部１０ｆは、電磁弁１０ｄ及び電子膨張弁１０ｅを制御する。制御部１０ｆは、当該放射パネルＰの周囲の温度の情報を取得し、また、当該放射パネルＰに対して設定された目標温度の情報を取得する。
周囲の温度は、目標温度と同様、例えばパネル表面温度であり、また、室温であってもよい。周囲の温度の情報は、放射パネルＰ毎に設けられた不図示の温度センサから取得することができる。放射パネルＰ毎に設定可能な目標温度は例えば不図示のリモコンや操作パネルを介してユーザにより設定される。
制御部１０ｆはさらに、目標温度の情報を冷媒供給装置１３の後述の供給側制御部１３ｅに送信する機能を有する。
【００３０】
制御部１０ｆは、当該放射パネルＰ自体に設定された目標温度の情報と、当該放射パネルＰの周囲における現在の温度の情報とに基づいて、冷媒配管１１、１２から放射用冷媒配管１０ｂへの冷媒の供給の制御を行う。
【００３１】
一方、冷媒供給装置１３は、冷房時は低温の冷媒を、暖房時は恒温の冷媒を各放射パネルＰに供給するものである。冷媒供給装置１３は、圧縮機１３ａと、四方弁１３ｂと、熱交換器１３ｃ、電子膨張弁１３ｄ、供給側制御部１３ｅとを有する。
【００３２】
圧縮機１３ａは、冷媒を圧縮するものである。圧縮機１３ａには、当該圧縮機１３ａに冷媒を導入する入口側配管１３ｆと、圧縮機１３ａから冷媒を出す出口側配管１３ｇとが接続されている。入口側配管１３ｆにはアキュムレータ１３ｈが介在している。これら入口側配管１３ｆと出口側配管１３ｇは、四方弁１３ｂを介して、共通配管１１ａ、１２ａに接続されている。
【００３３】
四方弁１３ｂは、冷房運転と暖房運転とを切り替えるためのものである。当該四方弁１３ｂの切り替え操作により、入口側配管１３ｆと一方の共通配管１１ａが接続され、出口側配管１３ｇと他方の共通配管１２ａが接続された状態（暖房運転時）と、入口側配管１３ｆと上記他方の共通配管１２ａとが接続され、出口側配管１３ｇと上記一方の共通配管１１ａが接続された状態（冷房運転時）とに切り替わる。
【００３４】
熱交換器１３ｃは、冷温水配管１４内の冷温水と冷媒との間で熱交換を行うものであり、電子膨張弁１３ｄは、冷媒を減圧するものである。これらは、四方弁１３ｂと上記一方の共通配管１１ａの間に設けられている。
【００３５】
供給側制御部１３ｅは、圧縮機１３ａ、四方弁１３ｂ、熱交換器１３ｃ、電子膨張弁１３ｄ等を制御することにより、冷媒の循環方向の制御や、共通配管１１ａ、１２ａに供給する冷媒の状態を制御する。
【００３６】
供給側制御部１３ｅは、上述の制御のため、放射式空調システム１に対して設定された運転モードの情報を取得する。運転モードは、例えば不図示のリモコンや操作パネルを介してユーザにより設定される。
また、供給側制御部１３ｅは、全ての放射パネルＰから各放射パネルＰに設定された目標温度の情報を取得する。
【００３７】
そして、供給側制御部１３ｅは、取得した運転モードの情報に基づいて、冷媒の循環方向を決定する。
【００３８】
また、供給側制御部１３ｅは、取得した運転モードの情報と、取得した全ての放射パネルＰの目標温度の情報とに基づいて、共通配管１１ａ、１２ａに供給する冷媒の状態（温度等）を決定する。
具体的には、運転モードが暖房モードの場合、すなわち、暖房時は、供給側制御部１３ｅは、例えば、目標温度のうち最も高い目標温度に対応する温度を、冷媒の温度として決定する。
また、運転モードが冷房モードの場合、すなわち、冷房時は、供給側制御部１３ｅは、例えば、目標温度のうち最も低い目標温度に対応する温度を、共通の冷媒の温度として決定する。
【００３９】
目標温度に対応する冷媒の温度の決定方法としては、例えば、目標温度と該目標温度に対応する冷媒の温度の関係を示すテーブルデータを不図示の記憶部に予め記憶しておき、該テーブルデータに基づいて決定する方法が提案できる。暖房時と冷房時で異なるテーブルデータを用いてもよい。
【００４０】
以上のように構成された放射式空調システム１は、当該放射式空調システム１が起動されたり、運転モードが切り替えられたりすると、設定された運転モードの情報を冷媒供給装置１３の供給側制御部１３ｅが取得する。その際などに、供給側制御部１３ｅは、全ての放射パネルＰについて、当該放射パネルＰに設定された目標温度の情報を取得する。
【００４１】
供給側制御部１３ｅは、運転モードが冷房モードの場合、設定された目標温度のうち最も低い目標温度に対応する冷媒の状態を、共通配管１１ａ、１２ａに供給する冷媒の状態に決定する。例えば、前述したように、供給側制御部１３ｅは、目標温度のうち最も低い目標温度に対応する温度を、共通の冷媒の温度として決定する。また、供給側制御部１３ｅは、供給する冷媒の状態が、上記決定した状態になるよう、圧縮機１３ａ、熱交換器１３ｃ、電子膨張弁１３ｄ等を制御する。
さらに、供給側制御部１３ｅは、冷房モードの場合、四方弁１３ｂを制御し、出口側配管１３ｇと、一方の共通配管１１ａとが接続され、入口側配管１３ｆと他方の共通配管１２ａとが接続された状態とする。そして、冷媒供給装置１３は、上記一方の共通配管１１ａを通して、各放射パネルＰに冷媒を供給する。
【００４２】
各放射パネルＰでは、制御部１０ｆが、当該放射パネルＰの周囲の現在の温度が目標温度に達したか否か判定する。そして、目標温度に達したとの判定結果が得られるまで、制御部１０ｆは電子膨張弁１０ｅ及び電磁弁１０ｄを制御し、冷媒供給装置１３から供給された冷媒の膨張及び膨張させた冷媒の放射用冷媒配管１０ｂへの供給を実行／継続する。
そして、放射パネルＰの放射面１０ａにおいて熱放射を行い、その結果蒸発した冷媒が上記他方の共通配管１２ａから冷媒供給装置１３に戻される。
【００４３】
冷媒供給装置１３では、放射パネルＰから戻された冷媒が、四方弁１３ｂ、入口側配管１３ｆ等を介して圧縮機１３ａに導入されて圧縮され、高温高圧の冷媒ガスになり、熱交換器１３ｃに送出される。冷媒は、熱交換器１３ｃにおいて、水に排熱し、冷却されてガスから液体に戻り、再び各放射パネルＰに供給される。
【００４４】
一方、各放射パネルＰでは、放射パネルＰの周囲の現在の温度が目標温度に達したとの判定結果が得られると、制御部１０ｆが、電子膨張弁１０ｅ及び／または電磁弁１０ｄを制御し、冷媒の放射用冷媒配管１０ｂへの供給を停止する。
その後、上記現在の温度が目標温度を上回れば、制御部１０ｆの制御に基づいて、冷媒の放射用冷媒配管１０ｂへの供給が再開される。
【００４５】
また、供給側制御部１３ｅは、運転モードが暖房モードの場合、設定された目標温度のうち最も高い目標温度に対応する冷媒の状態を、共通配管１１ａ、１２ａに供給する冷媒の状態に決定する。また、供給側制御部１３ｅは、供給する冷媒の状態が、上記決定した状態になるよう、圧縮機１３ａ、熱交換器１３ｃ、電子膨張弁１３ｄ等を制御する。
さらに、供給側制御部１３ｅは、暖房モードの場合、四方弁１３ｂを制御し、出口側配管１３ｇと、上記他方の共通配管１２ａとが接続され、入口側配管１３ｆと一方の共通配管１１ａとが接続された状態とする。そして、冷媒供給装置１３は、圧縮機１３ａで圧縮させた冷媒を、上記他方の共通配管１２ａを通して、各放射パネルＰに供給する。
【００４６】
各放射パネルＰでは、制御部１０ｆが、当該放射パネルＰの周囲の現在の温度が目標温度に達したか否か判定する。そして、目標温度に達したとの判定結果が得られるまで、制御部１０ｆは電子膨張弁１０ｅ及び電磁弁１０ｄを制御し、圧縮された冷媒の放射用冷媒配管１０ｂへの供給を実行／継続する。
そして、放射パネルＰの放射面１０ａにおいて熱放射を行い、その結果液化した冷媒が上記一方の共通配管１１ａから冷媒供給装置１３に戻される。
【００４７】
冷媒供給装置１３では、放射パネルＰから戻された冷媒が、電子膨張弁１３ｄを介して熱交換器１３ｃに導入され、その結果、水から採熱し低温低圧の冷媒ガスになり、四方弁１３ｂ、入口側配管１３ｆ等を介して圧縮機１３ａに戻される。冷媒は、圧縮機１３ａにより高温高圧の冷媒ガスに戻り、再び各放射パネルＰに供給される。
【００４８】
一方、各放射パネルＰでは、放射パネルＰの周囲の現在の温度が目標温度に達したとの判定結果が得られると、制御部１０ｆが、電子膨張弁１０ｅ及び／または電磁弁１０ｄを制御し、高温の冷媒の放射用冷媒配管１０ｂへの供給を停止する。
その後、上記現在の温度が目標温度を下回れば、制御部１０ｆの制御に基づいて、圧縮された高温の冷媒の放射用冷媒配管１０ｂへの供給が再開される。
【００４９】
以上のようにして、放射式空調システム１では、複数の放射パネルＰで共通の冷媒供給装置１３を用い、複数の放射パネルＰをそれぞれ独立して制御する。したがって、放射式空調システム１では、従来技術を利用した場合よりも構成が簡単となるため、低コストで室内の温度分布を所望のものに調整することができる。
【００５０】
以上の例では、天井面に設けた放射パネルについても、側壁面に設けた放射パネルと共通の冷媒供給装置を用いていた。しかし、冷媒の供給に係る重力の関係から、天井面に設けた放射パネルについては、別の冷媒供給装置を用いてもよい。
【００５１】
また、以上の例では、床面には放射パネルを設けていなかったが、床面に対しても放射パネルを設けるようにしてもよい。
なお、以上の例では、各壁面に１つずつ放射パネルを設けていたが、１つの壁面に対し複数の放射パネルを設けてもよい。いずれの場合も、冷媒供給装置は共通のものを用いる。
【００５２】
以上の例では、冷媒供給装置から供給する冷媒の状態を、目標温度の情報に基づいて決定していた。これに代えて、放射パネルの周囲の現在の温度についての情報も各放射パネルから取得し、その現在の温度情報と目標温度の情報に基づいて、冷媒供給装置から共通して供給する冷媒の状態を決定してもよい。例えば、供給側制御部において、放射パネルの周囲の現在の温度の平均値を算出し、その平均値と目標温度との差が所定値以上の場合には、冷房時であればより低い温度を、暖房時であればより高い温度を、冷媒の温度として採用／決定するようにしてもよい。
【産業上の利用可能性】
【００５３】
本発明は、無風空調が求められる環境や大きな対流が好ましくない空間の空調に適用することができる。
【符号の説明】
【００５４】
Ｐ（Ｐ１〜Ｐ５）…放射パネル
１０ａ…放射面
１０ｂ…放射用冷媒配管
１０ｃ…パネル側制御装置
１０ｄ…電磁弁
１０ｅ…電子膨張弁
１０ｆ…制御部
１１…冷媒配管
１１ａ…共通配管
１２…冷媒配管
１２ａ…共通配管
１３…冷媒供給装置
１３ａ…圧縮機
１３ｂ…四方弁
１３ｃ…熱交換器
１３ｄ…電子膨張弁
１３ｅ…供給側制御部
１３ｆ…入口側配管
１３ｇ…出口側配管
１３ｈ…アキュムレータ
１４…冷温水配管
【図１】
2017215103.tif 000003
【図２】
2017215103.tif 000004
【図３】
2017215103.tif 000005